(57)【要約】  システム（１；１４；３０）は、音声情報を記憶及び再生するデバイス（２；４３）と、デバイス（２；４３）のモードを操作する少なくとも１つのボタン（１１）、及びデバイス（２；４３）の通信手段（４）との操作コマンドの無線通信用の通信手段（１３；３５，３６）を有する操作デバイス（５；１５；２１；２６；３１）と、を備え、操作デバイス（５；１５；２１；２６；３１）は、ユーザ（７）の首（８）周りに少なくとも部分的に装着されるようなストラップ（６；１６；２４；３２）の形状要因で構成される。
2018501506.tif 000002
【特許請求の範囲】
【請求項１】
音声情報を記憶及び再生するデバイス（２；４３）と、操作デバイス（５；１５；２１；２６；３１）とを備えるシステム（１；１４；３０）であって、
前記操作デバイス（５；１５；２１；２６；３１）は、
前記デバイス（２；４３）のモードを操作する少なくとも１つのボタン（１１）と、
前記デバイス（２；４３）の通信手段（４）との操作コマンドの無線通信用の通信手段（１３；３５，３６）を有する操作デバイス（５；１５；２１；２６；３１）と、
を備え、
前記操作デバイス（５；１５；２１；２６；３１）は、ユーザ（７）の首（８）周りに少なくとも部分的に装着されるようなストラップ（６；１６；２４；３２）の形状要因で構成されることを特徴とするシステム（１；１４；３０）。
【請求項２】
前記操作デバイス（５；１５；２１；２６；３１）は、前記音声情報をキャプチャするマイクロホン（１０）を備え、
前記操作デバイス（５；１５；２１；２６；３１）の前記通信手段（１３；３５，３６）、及び前記デバイス（２；４３）は、前記キャプチャ音声情報を通信するように構成される、請求項１に記載のシステム（１；１４；３０）。
【請求項３】
前記デバイスは、前記ユーザ（７）の話し言葉を記憶及び再生するディクテーション装置であり、
前記操作コマンドは、再生、停止、録音、早送り、巻き戻し、音量の上げ下げから成るコマンドの群の少なくとも１つを含む、請求項１又は２に記載のシステム。
【請求項４】
前記ストラップ（６；１６；２４；３２）は、前記ユーザ（７）に指の力で前記ストラップ（６；１６；２４；３２）を屈曲させることを可能にする材料又は材料組成から構成され、前記ストラップ（６；１６；２４；３２）は、前記ユーザ（７）によって屈曲された形状を本質的に保持する、請求項１乃至３のいずれか一項に記載のシステム（１；１４；３０）。
【請求項５】
前記操作デバイス（５；３１）は、前記ストラップ（６；３２）に接続される前記マイクロホン（１０）用の筐体（１２；３３）を備え、
前記筐体（１２；３３）は、前記ストラップ（６；３２）に対して傾斜することによって、前記マイクロホン（１０）と前記ユーザ（７）の口との間の距離を変更するように構成される、請求項１乃至３のいずれか一項に記載のシステム（１；３０）。
【請求項６】
前記ストラップ（１６）は、第１の端部（１７）及び第２の端部（１８）を備え、
前記マイクロホン（１０）は、前記ストラップ（１６）の前記第１の端部（１７）において収容され、前記通信手段（１３）及び／又は前記少なくとも１つのボタン（１１）は、前記ストラップ（１６）の前記第２の端部（１８）において収容される、請求項１乃至３のいずれか一項に記載のシステム（１４）。
【請求項７】
前記操作デバイス（２６）は、前記音声情報を再生するためのスピーカ（２８）及び／又はイヤホンを備え、
前記デバイス及び前記操作デバイス（２６）の通信手段は、前記デバイスに記憶される前記音声情報を前記操作デバイス（２６）による再生のために通信するように構成される、請求項１乃至６のいずれか一項に記載のシステム。
【請求項８】
前記ストラップ（１６；２４）は、第１の端部（１７；２２）及び第２の端部（１８；２３）を備え、
前記端部において、前記ユーザ（７）に前記ストラップ（１６；２４）の前記第１の端部（１７；２２）及び前記第２の端部（１８；２３）を接続及び切り離しさせることを可能にする少なくとも１つの磁石（１９）を収容する、請求項１乃至７のいずれか一項に記載のシステム（１４）。
【請求項９】
前記操作デバイス（１５；３１）は、前記通信手段（１３；３５）及び前記少なくとも１つのボタン（１１）及び第１の電源（３８）用の操作筐体（２０；３４）を備え、
前記操作筐体（２０；３４）は、前記ストラップ（１６；３２）に着脱可能に接続される、請求項１乃至８のいずれか一項に記載のシステム（３０）。
【請求項１０】
前記操作筐体（３１）は、前記マイクロホン（１０）及び更なる通信手段（３６）及び第２の電源（３９）用のマイクロホン筐体（３３）を備え、
前記マイクロホン筐体（３３）は、前記ストラップ（３２）及び／又は前記操作筐体（３４）に着脱可能に接続される、請求項９に記載のシステム（３０）。
【請求項１１】
前記操作筐体（３４）の前記通信手段（３５）は、前記マイクロホン筐体（３３）の前記更なる通信手段（３６）に対して操作コマンドを通信するように構成され、
前記更なる通信手段（３６）は、前記デバイス（２；４３）の前記通信手段（４）に対して音声情報及び操作コマンドを通信するように構成される、請求項１０に記載のシステム（３０）。
【請求項１２】
前記操作筐体（３４）の前記通信手段（３５）は、前記２つの筐体（３３，３４）を物理的に接続することによって前記マイクロホン筐体（３３）の前記更なる通信手段（３６）とペアリングされるように構成され、
前記マイクロホン筐体（３３）の前記更なる通信手段（３６）は、ＮＦＣ技術又はアコースティックペアリングを用いて、前記デバイス（２）の前記通信手段（４）とペアリングされるように構成される、請求項１１に記載のシステム（３０）。
【請求項１３】
前記操作デバイス（３１）の前記操作筐体（３４）は、前記マイクロホン（１０）の前記マイクロホン筐体（３３）に接続されるように構成され、前記接続によって、前記第１の電源（３８）による前記第２の電源（３９）の電力供給が開始される、請求項１０又は１１に記載のシステム（３０）。
【請求項１４】
前記操作デバイス（３１）の前記操作筐体（３４）は、接続架台（４２）に接続されることによって、前記第１の電源（３８）のみに対して、又は前記第１の電源（３８）及び前記第２の電源（３９）に対して電力供給するように構成される、請求項９乃至１３のいずれか一項に記載のシステム（３０）。
【請求項１５】
前記マイクロホン（１０）の前記マイクロホン筐体（３３）は、固体伝搬音を抑制する材料から構成される、請求項９乃至１４のいずれか一項に記載のシステム（３０）。
【請求項１６】
前記マイクロホン筐体（３３）の前記更なる通信手段（３６）は、デバイスとしてのパーソナルコンピュータ（４３）に接続されるドングル（４４）における通信手段とのプラグアンドプレイ通信のために構成される、請求項９乃至１１又は１３乃至１５のいずれか一項に記載のシステム（３０）。
【請求項１７】
デバイス（２；４３）のモードを操作する少なくとも１つのボタン（１１）を有する操作デバイス（５；１５；２１；２６；３１）において、前記操作デバイス（５；１５；２１；２６；３１）は、請求項１乃至１６のいずれか一項に記載のシステム（１；１４；３０）の操作デバイス（５；１５；２１；２６；３１）の特徴部を備えることを特徴とする操作デバイス（５；１５；２１；２６；３１）。
【発明の詳細な説明】
【技術分野】
【０００１】
本発明は、概して、音声情報を記憶及び再生するデバイスと、デバイスのモードを操作する少なくとも１つのボタン、及びデバイスの通信手段との操作コマンドの無線通信用の通信手段、を有する操作デバイスと、から成るシステムに関する。
【背景技術】
【０００２】
欧州特許出願公開第１１４１８１８Ｂ１号において、ハンドヘルド型操作デバイスを有するシステムが開示されており、操作デバイスは、ディクテーション装置と、パーソナルコンピュータによって処理されるディクテーションアプリケーションのモードを操作するボタンと、を備える。ハンドヘルド型操作デバイスは、音声情報及び操作コマンドをパーソナルコンピュータに送信することによってユーザの会話を記録する赤外線送信機を備える。ボタンを押す必要があるときのみユーザの手と操作デバイスとの間の実際のやりとりが必要ではあるが、上述のような既知のシステムを用いると、ユーザは、その手でハンドヘルド型操作デバイスをディクテーションの間保持する必要がある。ディクテーションの残りの時間では、ユーザは、良好な品質のキャプチャ音声を得るために、ハンドヘルド型操作デバイスを口に近接して保持する必要がある。このような腕の位置は、ユーザを極度に疲労させるものであり、これが既知のシステムの課題である。
【発明の概要】
【課題を解決するための手段】
【０００３】
本発明は、第１段落に記載するような、ユーザが常に手で操作デバイスを保持する必要なく操作デバイスを近接して保持して操作デバイスの使用準備ができるようなシステムを提供することを目的とする。このような目的は、ユーザの首周りに少なくとも部分的に装着されるようなストラップの形状要因に構成される操作デバイスによって実現可能である。
【０００４】
このようなシステムによれば、ユーザの首周りに装着されるストラップ形状の操作デバイスが常に近接して保持され、その使用準備ができると同時に、必要なその他の動作のためにユーザの手が自由な状態にあるという利点を有する。マイクロホンがストラップの一部である場合には、良質な音声をキャプチャするためにマイクロホンが常に口に近接するという利点がある。ストラップはユーザが指で屈曲することができる材料又は材料組成から構成され、このようなストラップがユーザによって屈曲された形状を本質的に保持する場合には、マイクロホンが、その口までの適切な距離に移動及び保持されることによって、キャプチャ音声情報の質を更に向上するという利点がある。本発明の別の実施形態において、ストラップに接続されるマイクロホンの筐体は、ストラップに対して傾斜可能であり、ユーザは、その口までの適切な距離にマイクロホンを移動及び保持することによって高品質音声情報を有利にキャプチャ可能となる。
【０００５】
本発明のこれらの態様及びその他の態様は、以下に説明する実施形態を参照することにより明瞭に理解可能である。当業者であれば、各種実施形態が組み合わせ可能であるものと理解されよう。
【図面の簡単な説明】
【０００６】
【図１】本発明の第１の実施形態に係る、操作デバイス及び携帯電話から成るシステムを示す図である。
【図２】本発明の第２の実施形態に係る、操作デバイス及び携帯電話から成るシステムを示す図である。
【図３】操作デバイス上の異なるボタン、及び屈曲状態にあるストラップを有する、図２の操作デバイスを示す図である。
【図４】本発明の第３の実施形態に係る、磁石ロックを有する操作デバイスを示す図である。
【図５】本発明に係る操作デバイスの更なる４つの実施形態を示す図である。
【図６】図５の操作デバイスの実施形態の１つを装着するユーザを示す図である。
【図７】本発明の更なる実施形態に係る、操作デバイス、携帯電話、及びパーソナルコンピュータから成るシステムを示す図である。
【発明を実施するための形態】
【０００７】
図１は、携帯電話２として実現されるデバイスであるシステム１を示し、携帯電話２は、ディクテーションアプリケーション３を処理することによって、音声情報の記憶及び再生を行う。ディクテーションアプリケーション又は「Ａｐｐｓ」は、例えば、スピーチプロセッシングソリューションズ、ドラゴン、又はオリンパス等の会社からのものが知られている。ディクテーションアプリケーション３を処理する携帯電話２によって、ユーザがマイクロホンで話し言葉をキャプチャし、それらを更なる処理又はスピーカによる再生のために記憶する。携帯電話２は、ブルートゥース（登録商標）規格に準拠するその他のデバイスと無線通信するようにブルートゥース規格に従って実現される通信手段４を更に備える。
【０００８】
システム１は、ユーザ７がその首８周りに部分的に装着するストラップ６の形状要因に構成される操作デバイス５を更に備える。ストラップ６は、閉環状のストラップではなく、首８周りのストラップ６の装着を容易にし、そのストラップ６を首８周りに固定する開口領域９を有するストラップである。操作デバイス５は、ユーザ７から音声情報をキャプチャするマイクロホン１０と、操作コマンドＲＥＣ及びＳＴＯＰを入力する１つのボタン１１と、を備える。マイクロホン１０は、筐体１２の一端に設けられると同時に、筐体１２の他端は、ストラップ６の一部としてストラップ６に接続される。筐体１２は、ストラップに対して傾斜することによって、マイクロホン１０とユーザ７の口との距離を変更可能である。これによって、ユーザ７がその口とマイクロホン１０との距離を調節することによって、最上の品質のキャプチャ音声情報が実現可能となる。筐体１２は、キャプチャ音声情報及び操作コマンドを携帯電話２の通信手段に対して無線通信で伝えるようにブルートゥース規格に従って実現される通信手段１３を更に備える。
【０００９】
システム１のユーザ７は、その携帯電話２においてディクテーションアプリケーション３を起動し、ディクテーションの準備をするために首８周りにストラップ６を装着可能である。そして、ユーザ７は、マイクロホン１０と口との間の距離を調節し、ボタン１１を押すことによって、ＲＥＣ操作コマンドを生成する。ＲＥＣ操作コマンドは、通信手段１３によって携帯電話２の通信手段４に送信され、ディクテーションアプリケーション３は、マイクロホン１０から受信した音声情報を記憶し始める。ディクテーション全体を通じて、ユーザ７は、その手が自由な状態であり、更なる処理のために携帯電話２に記憶されるディクテーションを歩きながら行うことができる。ディクテーションの終了時に、ユーザ７は、ボタン１１を再度押すことによってＳＴＯＰ操作コマンドを生成し、ディクテーションアプリケーション３又は携帯電話２のモードを記録から停止に変更する。ユーザ７は、どんな時であっても、開口領域９によって首８からストラップ６を容易に取り外し可能である。
【００１０】
筐体１２は、ストラップ６の残りの部分から着脱可能に構成されることによって、ユーザ７がストラップ６を外すことが可能である。ユーザ７は、筐体１２をストラップ６の残りの部分から取り外すことによって、筐体１２内の電子部品に対するエネルギーを付与する、筐体１２内の電池を再充電可能である。一部の場合、又は、短いディクテーションを通じて、ユーザ７は、この着脱可能な筐体１２で可能な、操作デバイス５の筐体１２をユーザ７の手で持つことを好む場合がある。筐体１２は、ディクテーションアプリケーション３に対する更なる操作コマンドの入力を可能にするボタンを更に備えてもよく、当該コマンドは、例えば、再生、早送り、巻き戻し、又は、例えばディクテーションの最中の着信に対する応答若しくは拒否、若しくは音量の上げ下げの操作等の携帯電話２のその他のモード等である。
【００１１】
図２は、本発明の第２の実施形態に係る、操作デバイス１５でディクテーションアプリケーション３を処理する携帯電話２のシステム１４を示す。操作デバイス１５は、第１の端部１７及び第２の端部１８を有するストラップ１６の形状要因に構成される。第１の端部１７において、マイクロホン１０が収容され、第２の端部１８において、通信手段１３及びボタン１１が収容される。第１の端部１７は、互いに近接して保持されるときに第２の端部１８における筐体２０の金属板と接触する磁石１９を更に備える。これによって、ユーザ７は、その首８周りにおいてストラップ１６をリングとして閉じることによって、非使用時に操作デバイス５をネックレス等として装着可能である。筐体２０内の電子スイッチは、両端部１７及び１８が互いに近接していることを検出し、操作デバイス５の電源を切る。
【００１２】
ユーザ７がディクテーションを開始したい場合には、ユーザ７は、磁石１９の小さい力に抗って第２の端部１８から第１の端部１７を切り離し、指でストラップ１６を屈曲させることによって、図３において右側に示すようにマイクロホン１０を口に近づける。そして、ユーザ７は、その胸部に対してボタン１１を押すことによって、マイクロホン１０でキャプチャした音声情報の記憶を開始する。ディクテーションを終了するためには、ユーザ７は、ボタン１１を再度押すか、第１の端部１７を第２の端部１８に近づけることによってストラップ１６を単にリング状に閉じてもよい。
【００１３】
図３において左側には、携帯電話２に対する更なる操作コマンドを入力するために使用される更に別のボタン１１を有するストラップ１６の第２の端部１８を示す。本実施形態の更なる変形例において、通信手段１３及びボタン１１を収容する筐体２０は、ストラップ１６の残りの部分から着脱可能である。
【００１４】
図４は、本発明の更なる実施形態に係る操作デバイス２１を示す。図４における左側には、ストラップ２４の第１の端部２２及び第２の端部２３が磁石１９で接続されている状態を示し、図４における右側には、ストラップ２４がユーザ７の首８から容易に取り外し可能となるように開口する状態を示す。ストラップ２４は、第１の端部２２においては、マイクロホン１０上方に格子２５を収容する平坦な上部領域を備え、第２の端部２３においては、幾つかのボタン１１を備える。ストラップ２４は、例えばアルミニウム、金属、又はプラスチック製の筐体を有して構成される。第２の端部２３は、線２９に沿ってストラップ２４から着脱可能となっていることにより、ユーザ７がその腕の快適な位置で操作コマンドを入力可能となる。
【００１５】
図５は、本発明に係る操作デバイス２６の更なる４つの実施形態を示す。操作デバイス２６は、ストラップの形状要因に構成され、内部に金属線を有するベルト材から成り、これにより、ユーザ７は、ストラップの端部を屈曲することが可能となる。図６は、ボタン１１を見るのに役立ち、マイクロホン１０を適切な距離に保つように両端部が上方に屈曲された状態で操作デバイス２６の１つを装着したユーザ７を示す。
【００１６】
操作デバイス２６は、ユーザ７の首に軟性領域２７を更に備えることによって、快適性が増大する。操作デバイス２６のストラップの第１の端部は、マイクロホン１０と、幾つかのボタン１１と、を備え、第２の端部は、携帯電話２に記憶される音声情報を再生するために一体化されるスピーカ２８を備える。これによって、ユーザ７は、その耳のすぐ近くで記憶されたディクテーションを聞き、ストラップの第２の端部を屈曲させることによってスピーカ２８を更に耳の近くに移動させることができるという利点がある。本発明の更なる実施形態において、ストラップは、周囲のその他の人々に邪魔されることなく音声を直接聞くためにイヤホンを更に備える。
【００１７】
ユーザによって屈曲されてよく、ユーザによって屈曲された形状を本質的に保持することができるストラップを作製するために使用され得るその他の材料又は材料組成が知られている。操作デバイスは、ディクテーション装置、ディクテーションアプリケーションを処理するコンピュータ、タブレット、スマートフォン、ｉＰｏｄ（登録商標）、ＭＰ３プレイヤ、又は同様の音声再生デバイス等の多数の異なるデバイスを操作するように構成可能である。デバイス及び操作デバイスの通信手段は、例えばＷＬａｎ、ＤＥＣＴ、又はＲＦ帯域における社内規格等のその他の任意の既知の国際規格に従って通信可能である。操作デバイスは、操作デバイス及びデバイスの通信手段がキャプチャ音声情報又は操作コマンドを送信するのに十分近接するまでキャプチャ音声情報をバッファに格納するデータ記憶部を備えてもよい。ストラップの形状要因によって、ボタン１１、マイクロホン１０、及びスピーカ２８を使用のために適切な距離に移動させ、高品質な音声情報のキャプチャリング、及び高品質な音声情報の再生を可能にする技術的効果をもたらし得る。
【００１８】
図７は、本発明の更なる実施形態に係る、操作デバイス３１でディクテーションアプリケーションを処理する携帯電話２のシステム３０を示す。概略ブロック図として図７に示す操作デバイス３１は、ストラップ３２の形状要因に構成される。操作デバイス３１は、ストラップ３２に接続されるマイクロホン筐体３３を備え、マイクロホン筐体３３は、操作筐体３４に物理的に接続可能である。ステアリング筐体３４は、ブルートゥースＬＥ規格に従って操作命令を伝えるように構成される通信手段３５を備える。マイクロホン筐体３３は、ブルートゥースデュアル規格に基づいて、通信手段３５から受信した操作コマンド、及びマイクロホン１０からキャプチャした音声情報を伝えるように構成される通信手段３６を更に備える。両筐体３３，３４において通信手段３５，３６を有するこのような配置によって、操作筐体３４が、ユーザ７の使いやすさのためにマイクロホン筐体３３から切り離し可能であると同時に、マイクロホン筐体３３が、ユーザの首周りにおいてストラップ３２によって保持されることによって、マイクロホン１０とユーザの口との間の適切な距離が確保されるという利点をもたらす。操作コマンドの通信手段３５から更なる通信手段３６及び携帯電話２の通信手段への通信が実現される。
【００１９】
磁石１９を使用することによって、操作筐体３４に接続されるマイクロホン筐体３３、及び操作デバイス３１の電気部品を接続する物理コネクタ３７を保持する。通信手段３５と更なる通信手段３６とをペアリングすることは、マイクロホン筐体３３を操作筐体３４に物理的に接続することによってなされる。更なる通信手段３６と携帯電話２の通信手段４とをペアリングすることは、ＮＦＣ規格に基づいて操作デバイス３１に近接して携帯電話２を保持することによってなされる。デバイスのペアリングを容易にするために、特別な周波音でのアコースティックペアリング等のその他の既知の技術も使用可能である。
【００２０】
操作筐体３４がマイクロホン筐体３３から切り離されている場合であっても操作デバイス３１の電源供給を確保するために、両筐体３３，３４は、個別の電源３８，３９を備える。操作筐体３４は、接続架台４２の電源コネクタ４１に接続される電源コネクタ４０を備える。マイクロホン筐体３３及び操作筐体３４がコネクタ３７に接続される場合には、両電源３８，３９が接続架台４２によって電力供給される。操作筐体３４がマイクロホン筐体３３から切り離されている場合には、操作筐体３４が接続架台４２において自然に電力供給される。このような電力供給後、接続架台４２から再度切り離された操作筐体の電源３８による、それよりも低い電気容量を有するマイクロホン筐体３３の電源３９の電力供給が可能である。これによって、操作デバイス３１の良好な電源供給が常に確保される。接続架台４２の代わりに、操作デバイス３１は、例えばパーソナルコンピュータによってＵＳＢポートを介して電力供給されてもよい。
【００２１】
少なくとも操作デバイス３１のマイクロホン筐体３３、より有利には操作デバイス３１の筐体全体は、固体伝搬音を抑制する材料から構成される。これによって、ユーザの衣服又は胸に沿ったマイクロホン筐体３３の摩擦によって発生するノイズのマイクロホン１０によるキャプチャを確実に防止する。当業者であれば使用される材料について理解しているが、例えば動物の毛等によってノイズを確実に抑制する。
【００２２】
更なる実施形態によれば、操作デバイス３１は、ディクテーションアプリケーション３を処理するデバイスとしてのパーソナルコンピュータ４３と対をなしてもよい。パーソナルコンピュータ４３のＵＳＢポートに接続されるドングル４４は、コンピュータ及びマイクロホンをシミュレートし、ブルートゥースデュアル規格に準拠する通信手段を備える。これによって、パーソナルコンピュータ４３の操作デバイス３１とのプラグアンドプレイ通信が可能となり、ユーザの音声情報をキャプチャし、ディクテーションアプリケーション３の機能を操作する。
【図１】
2018501506.tif 000003
【図２】
2018501506.tif 000004
【図３】
2018501506.tif 000005
【図４】
2018501506.tif 000006
【図５】
2018501506.tif 000007
【図６】
2018501506.tif 000008
【図７】
2018501506.tif 000009
【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
音声情報を記憶及び再生するデバイス（２；４３）と、操作デバイス（５；１５；２１；２６；３１）とを備えるシステム（１；１４；３０）であって、
前記操作デバイス（５；１５；２１；２６；３１）は、
前記デバイス（２；４３）のモードを操作する少なくとも１つのボタン（１１）と、
音声情報をキャプチャするマイクロホン（１０）用のマイクロホン筐体（１２；３３）と、
前記デバイス（２；４３）の通信手段（４）との操作コマンドの無線通信用の通信手段（１３；３５，３６）と、
を備え、
前記操作デバイス（５；３１）は、前記通信手段（１３；３５）及び前記少なくとも１つのボタン（１１）及び第１の電源（３８）用の操作筐体（２０；３４）を備え、
前記操作筐体（２０；３４）は、ストラップ（１６；３２）に着脱可能に接続され、
前記操作デバイス（５；１５；２１；２６；３１）は、ユーザ（７）の首（８）周りに少なくとも部分的に装着されるようなストラップ（６；１６；２４；３２）の形状要因で構成され、
前記ストラップ（６；１６；２４；３２）は、前記ユーザ（７）に指の力で前記ストラップ（６；１６；２４；３２）を屈曲させることを可能にする材料又は材料組成から構成され、
前記ストラップ（６；１６；２４；３２）は、前記ユーザ（７）によって屈曲された形状を本質的に保持し、
前記マイクロホン筐体（３３）は、第２の電源（３９）と、前記デバイス（２；４３）の前記通信手段（４）及び前記操作筐体（２０；３４）の前記通信手段（１３；３５）と、音声情報及び／又は操作コマンドを通信するように構成される更なる通信手段（３６）と、を備えることを特徴とするシステム（１；１４；３０）。
【請求項２】
前記操作デバイス（５；１５；２１；２６；３１）の前記通信手段（１３；３５，３６）、及び前記デバイス（２；４３）は、前記キャプチャ音声情報を通信するように構成される、請求項１に記載のシステム（１；１４；３０）。
【請求項３】
前記デバイスは、前記ユーザ（７）の話し言葉を記憶及び再生するディクテーション装置であり、
前記操作コマンドは、再生、停止、録音、早送り、巻き戻し、音量の上げ下げから成るコマンドの群の少なくとも１つを含む、請求項１又は２に記載のシステム。
【請求項４】
前記ストラップ（１６）は、第１の端部（１７）及び第２の端部（１８）を備え、
前記マイクロホン（１０）は、前記ストラップ（１６）の前記第１の端部（１７）において収容され、前記通信手段（１３）及び／又は前記少なくとも１つのボタン（１１）は、前記ストラップ（１６）の前記第２の端部（１８）において収容される、請求項１乃至３のいずれか一項に記載のシステム（１４）。
【請求項５】
前記操作デバイス（２６）は、前記音声情報を再生するためのスピーカ（２８）及び／又はイヤホンを備え、
前記デバイス及び前記操作デバイス（２６）の通信手段は、前記デバイスに記憶される前記音声情報を前記操作デバイス（２６）による再生のために通信するように構成される、請求項１乃至４のいずれか一項に記載のシステム。
【請求項６】
前記ストラップ（１６；２４）は、第１の端部（１７；２２）及び第２の端部（１８；２３）を備え、
前記端部において、前記ユーザ（７）に前記ストラップ（１６；２４）の前記第１の端部（１７；２２）及び前記第２の端部（１８；２３）を接続及び切り離しさせることを可能にする少なくとも１つの磁石（１９）を収容する、請求項１乃至５のいずれか一項に記載のシステム（１４）。
【請求項７】
前記マイクロホン筐体（３３）は、前記ストラップ（３２）及び／又は前記操作筐体（３４）に着脱可能に接続される、請求項１乃至６のいずれか一項に記載のシステム（３０）。
【請求項８】
前記操作筐体（３４）の前記通信手段（３５）は、前記２つの筐体（３３，３４）を物理的に接続することによって前記マイクロホン筐体（３３）の前記更なる通信手段（３６）とペアリングされるように構成され、
前記マイクロホン筐体（３３）の前記更なる通信手段（３６）は、ＮＦＣ技術又はアコースティックペアリングを用いて、前記デバイス（２）の前記通信手段（４）とペアリングされるように構成される、請求項１乃至７のいずれか一項に記載のシステム（３０）。
【請求項９】
前記操作デバイス（３１）の前記操作筐体（３４）は、前記マイクロホン（１０）の前記マイクロホン筐体（３３）に接続されるように構成され、前記接続によって、前記第１の電源（３８）による前記第２の電源（３９）の電力供給が開始される、請求項７又は８に記載のシステム（３０）。
【請求項１０】
前記操作デバイス（３１）の前記操作筐体（３４）は、接続架台（４２）に接続されることによって、前記第１の電源（３８）のみに対して、又は前記第１の電源（３８）及び前記第２の電源（３９）に対して電力供給するように構成される、請求項１乃至９のいずれか一項に記載のシステム（３０）。
【請求項１１】
前記マイクロホン（１０）の前記マイクロホン筐体（３３）は、固体伝搬音抑制特性を示す材料から構成される、請求項１乃至１０のいずれか一項に記載のシステム（３０）。
【請求項１２】
前記マイクロホン筐体（３３）の前記更なる通信手段（３６）は、デバイスとしてのパーソナルコンピュータ（４３）に接続されるドングル（４４）における通信手段とのプラグアンドプレイ通信のために構成される、請求項１乃至１１のいずれか一項に記載のシステム（３０）。
【請求項１３】
請求項１乃至１２のいずれか一項に記載のシステム（１；１４；３０）のデバイス（２；４３）のモードを操作する少なくとも１つのボタン（１１）を有する操作デバイス（５；１５；２１；２６；３１）。
【国際調査報告】
2018501506.tif 000010
2018501506.tif 000011
2018501506.tif 000012
2018501506.tif 000013
2018501506.tif 000014